(57)【要約】【課題】リングネットワークを構成する伝送装置間における通信帯域を有効に活用することが可能な技術を提供する。【解決手段】  リングネットワークは、第１の伝送装置と第２の伝送装置を含む複数の伝送装置で構成される。  第１の伝送装置にリングネットワークにおける第１の情報が付与された信号を止める第１のブロッキングポートを設定する。また、第２の伝送装置にリングネットワークにおける第２の情報を付与された信号を止める第２のブロッキングポートを設定する。【選択図】図２
2017195483.tif 000002
【特許請求の範囲】
【請求項１】
リングネットワークを構成する伝送装置において、
信号に付与されている識別情報に応じて前記信号を送信する複数の送信部と、
送信先の情報と前記複数の送信部の何れかとを対応付けた対応情報を記憶する記憶部と、
前記記憶部に記憶されている前記対応情報に応じて前記送信部に前記信号を転送する切替部とを備えたことを特徴とする伝送装置。
【請求項２】
前記複数の送信部それぞれに対応し、前記リングネットワークを構成する他の伝送装置から信号を受信する複数の受信部とを更に備え、
前記切替部は、前記記憶部に送信先の情報を記憶されていない信号を転送する際に、前記複数の送信部のうち信号を受信した受信部に対応する送信部を除く送信部に前記信号を転送することを特徴とする請求項１に記載の伝送装置。
【請求項３】
前記識別情報は、ＶＬＡＮ情報であることを特徴とする請求項１または、２に記載の伝送装置。
【請求項４】
前記信号に付与されている前記ＶＬＡＮ情報を判別する判別部と、
前記判別部の結果に応じて前記送信部を制御する制御部とを更に備えたことを特徴とする請求項３に記載の伝送装置。
【請求項５】
前記受信部で受信した信号を複製し、第１のＶＬＡＮ情報を付与した第１の信号と第２のＶＬＡＮ情報を付与した第２の信号を生成するＶＬＡＮ情報付与部を備えたことを特徴とする請求４に記載の伝送装置。
【請求項６】
前記送信部は、前記判別部が前記受信部で受信した第１の制御信号から障害情報無を判別すると、新たなＶＬＡＮ情報を用いるための情報を付与した第２の制御信号を前記他の伝送装置に送信することを特徴とする請求項４または、５に記載の伝送装置。
【請求項７】
前記制御部は、前記判別部が前記受信部で受信した制御信号から障害情報を判別すると、前記第２のＶＬＡＮ情報を使用しないように制御することを特徴とする請求項５に記載の伝送装置。
【請求項８】
第１のリングネットワークと第２のリングネットワークに接続される伝送装置において、
前記第１のリングネットワークを介して信号を受信する受信部と、
前記受信部で受信した信号に付与されている識別情報を判別する判別部と、
前記判別部の判別結果に応じて、前記第１のリングネットワークと前記第２のリングネットワークの共通の通信路への信号の送信を制御する制御部とを
備えたことを特徴とする伝送装置。
【請求項９】
前記制御部は、前記識別情報が第１の情報の場合は、前記共通の伝送路に信号を送信し、前記識別情報が第１の情報と異なる第２の情報の場合は、前記共通の伝送路に信号を送信するように制御することを特徴とする請求項８に記載の伝送装置。
【請求項１０】
前記識別情報毎に対応し、特定の識別情報を有する信号を透過させるフィルタ部を更に備え、
前記受信部は、前記第１のリングネットワークに用いる新たな情報に関する制御信号を受信し、
前記制御部は、前記制御信号を、前記第１のリングネットワークと前記第２のリングネットワークの共通の通信路から受信した場合は、前記第１のリングネットワークと共通の通信路を用いて、前記第１のリングネットワークで用いる前記識別情報と異なる識別情報の前記第１のネットワークにおけるブロッキングポートを設定するように前記フィルタ部を制御することを特徴とする請求項８または、９に記載の伝送装置。
【請求項１１】
リングネットワークを構成する伝送装置の信号の転送方法において、
受信した信号から第１の情報を付与した第１の信号と第２の情報付与した第２の信号を生成し、
前記第１の信号と前記第２の信号それぞれに対して送信をするか否かを判断することを特徴とする伝送装置の信号の転送方法。
【請求項１２】
第１の伝送装置と第２の伝送装置を含む複数の伝送装置からなるリングネットワークの冗長構成方法において、
前記第１の伝送装置に前記リングネットワークにおける第１の情報が付与された信号を止める第１のブロッキングポートを設定し、
前記第２の伝送装置に前記リングネットワークにおける第２の情報を付与された信号を止める第２のブロッキングポートを設定することを特徴とするネットワークの冗長構成方法。
【発明の詳細な説明】
【技術分野】
【０００１】
本明細書に記載する技術は、伝送装置、信号の転送方法、ネットワークの冗長構成方法に関する。
【背景技術】
【０００２】
現在、インターネットやデータセンター網では、イーサネット（登録商標：Ｅｔｈｅｒｎｅｔ）を用いて通信をしている。
【０００３】
イーサネットでは、信号を送信する際に、テーブルに記憶してある宛て先と送信するポートの関係に応じて信号を送信する。また、宛て先と送信するポートが確立されていない場合、フラッディング方式を用いて信号を送信する。なお、フラッディング方式とは、全てのポート（信号を中継する場合は、受信したポートを除く全てのポート）から信号を送信する方法である。
【０００４】
なお、テーブルに宛て先と送信ポートの関係の記憶方法は、他の伝送装置から信号を受信した際に受信したポートと送信元（ソースアドレス）との関係を記憶する。なお、受信ポートと送信ポートは、例えば、同一のインターフェースカードに設けることで対応関係をとることが出来る。
【０００５】
また、イーサネットを構成する複数の伝送装置をリング状に接続するリングネットワークがある。リングネットワークは、数珠つなぎに円環状の伝送路を形成し、隣接する伝送装置間で通信（ｅｎｄ−ｔｏ−ｅｎｄ）を行い、信号（フレーム）を提供する技術である。
【０００６】
このようなイーサネットにおけるリングネットワークでは、経路切り替え時のループ発生の防止や高速な切り替えを行なうためにＩＴＵ−ＴＧ．８０３２によって規定されているＥｔｈｅｎｅｔ  Ｒｉｎｇ  Ｐｒｏｔｅｃｔｉｏｎ（以下、ＥＲＰと記載）が広く普及されている。
【先行技術文献】
【非特許文献】
【０００７】
【非特許文献１】ＩＴＵ−Ｔ，“ＩＴＵ−Ｔ  Ｇ．８０３２／Ｙ．１３４４”
【発明の概要】
【発明が解決しようとする課題】
【０００８】
ＩＴＵ−Ｔ  Ｇ．８０３２／Ｙ．１３４４に規格されているＥＲＰでは、ネットワーク内での信号のループ発生を防止するためにブロッキングポートを用いている。これは、伝送装置内の一部ポートをブロックすることで、特定の通信経路において信号の送受信を止めている。
【０００９】
しかし、リングネットワークにおいて、上述したブロッキングポートを用いることで、接続した通信経路のうちブロッキングされる通信経路が使用されない状態となる。また、信号を受信して確立した通信経路もブロッキングポートに関連する経路を用いなくなる。このように、ブロッキングを適用することでリングネットワーク間において、接続した通信経路における通信帯域を十分に使用できておらず、リングネットワーク内の通信帯域を有効に利用できていない。
【課題を解決するための手段】
【００１０】
上述した課題を解決するために、リングネットワークを構成する伝送装置において、信号に付与されている識別情報に応じて前記信号を送信する複数の送信部と、送信先の情報と前記複数の送信部の何れかとを対応付けた対応情報を記憶する記憶部と、前記記憶部に記憶されている前記対応情報に応じて前記送信部に前記信号を転送する切替部とを備えたことを特徴する伝送装置が提供される。
【発明の効果】
【００１１】
上述した伝送装置によると、リングネットワークにおける通信帯域を有効に活用することが出来る。
【図面の簡単な説明】
【００１２】
【図１】図１は、リングネットワーク１０の一例を示す図である。
【図２】図２は、リングネットワーク２０の一例を示す図である。
【図３】図３は、実施の形態１における伝送装置１００のハード構成の一例を示す図である。
【図４】図４は、実施の形態１における伝送装置１００の機能ブロック構成の一例を示す図である。
【図５】図５は、実施の形態１における記憶部１１６に記憶されているテーブルの一例を示す図である。
【図６】図６は、実施の形態２における記憶部１１６に記憶されているテーブルの一例を示す図である。
【図７】図７は、複数のリングネットワーク（Ｍａｊｏｒ−Ｒｉｎｇ）を新たなリングネットワーク（Ｓｕｂ−Ｒｉｎｇ）で接続したネットワーク３０の一例を示す図である。
【図８】図８は、実施の形態３におけるネットワーク４０の一例を示す図である。
【図９】図９は、実施の形態３における伝送装置２００の機能ブロック構成の一例を示す図である。
【図１０】図１０は、オーナーの伝送装置２００がリングネットワーク２３ａ内の伝送装置１００にリングネットワーク２３ｂを構成するための制御信号を送信するまでのフローチャートの一例を示す図である。
【図１１】図１１は、伝送装置２００が制御信号を受信してリングネットワーク２３ｂを構成するまでの制御におけるフローチャートの一例を示す図である。
【図１２】図１２は、信号のフレームフォーマットの一例を示す図である。
【図１３】図１３は、ネットワーク４０における信号の通信経路の一例を示す図である。
【図１４】図１４は、実施の形態３の第１の変形例におけるネットワーク５０の一例を示す図である。
【図１５】図１５は、ネットワーク６０の一例を示す図である。
【図１６】図１６は、実施の形態３の第２の変形例におけるネットワーク７０の一例を示す図である。
【発明を実施するための形態】
【００１３】
図１にリングネットワーク１０の構成の一例を示す。リングネットワーク１０は、伝送装置１００ａ、１００ｂ、１００ｃ、１００ｄを備える。また、リングネットワーク１０は、伝送装置１００ａ、１００ｃ、１００ｄ、１００ｂと経由して信号が送信される通信経路１５ａと伝送装置１００ａ、１００ｂ、１００ｄ、１００ｃと経由して信号が送信される通信経路１５ｂにより各伝送装置１００間で信号が送信される。
【００１４】
また、伝送装置１００ａ−伝送装置１００ｂ間を伝送装置１００ａのポートにてブロッキング（以下、該ポートをブロッキングポートと記載）しており、リングネットワーク１０内における信号の輻輳を止めるために伝送装置１００ａ−伝送装置１００ｂ間の通信を止めている。なお、図１では、ブロッキングポートの位置をＡと記載している。
【００１５】
なお、伝送装置１００ａ、１００ｂ、１００ｃ、１００ｄについて区別しない場合、単に伝送装置１００と記載する。
【００１６】
リングネットワーク１０では、ブロッキングポートＡにより伝送装置１００ａ−伝送装置１００ｂ間における通信帯域を用いた通信経路で接続しない。そのため、伝送装置１００ａ−伝送装置１００ｂ間の通信帯域を有効に活用できない状態となる。
【００１７】
図２に本発明の構成の一例であるリングネットワーク２０を示す。リングネットワーク２０は、リングネットワーク１０の構成に加えて、信号に付与される情報を用いて異なる伝送装置１００間に対応するようにそれぞれの情報毎に何れかの伝送装置１００にブロッキングポートを備える。
【００１８】
なお、リングネットワーク２０は、信号に付与される情報を用いて異なる伝送装置１００間にブロッキングポートとして、ブロッキングポート（Ｂ）とブロッキングポート（Ｃ）を記載している。
【００１９】
リングネットワーク２０におけるブロッキングポート（Ｂ）は、図１のブロッキングポート（Ａ）と同様の位置にあり、伝送装置１００ａのポートに該当する。リングネットワーク２０におけるブロッキングポート（Ｃ）は、伝送装置１００ｃ−伝送装置１００ｄ間とし、伝送装置１００ｃ内のポートに該当する。なお、ブロッキングポート（Ｂ）とブロッキングポート（Ｃ）は、これに限定することなく異なった伝送装置１００間となるように設ければ良い。
【００２０】
ブロッキングポート（Ｂ）とブロッキングポート（Ｃ）は、それぞれ異なる伝送装置１００でブロッキングポートが設定される。そのため、信号に付与した情報毎にブロッキングされる通信経路が異なる。
【００２１】
従って、伝送装置１００間を接続する通信帯域を有効に活用することが出来る。
【００２２】
このように、信号に付与されている情報を用いて異なるブロッキングポートを適応することで接続した通信帯域を有効に活用することが出来る。
【００２３】
（実施の形態１）
実施の形態１における伝送装置１００のハード構成図を図３に示す。なお、実施の形態１では、図２のリングネットワーク２０を用いて説明する。伝送装置１００は、コントロールカード（Ｃｏｎｔｒｏｌ  ｃａｒｄ）１１０と、インターフェースカード（Ｉｎｔｅｒｆａｃｅ  ｃａｒｄ）１２０ａ〜１２０ｎと、スイッチカード（Ｓｗｉｔｃｈ  ｃａｒｄ）１３０を備える。なお、インターフェースカード１２０ａ〜１２０ｎを区別しない場合、単にインターフェースカード１２０と記載する。また、インターフェースカード１２０は、例えば、物理的に通信経路を増やす毎に増設する。
【００２４】
コントロールカード１１０は、ＣＰＵ１１１とメモリ１１２で構成され、信号（フレーム）の転送やブロッキングポートの設定指示等の制御をインターフェースカード１２０やスイッチカード１３０に対して行なう。
【００２５】
インターフェースカード１２０は、他の装置から信号の送受信を行なう。インターフェースカード１２０が受信した信号は、インターフェースカード１２０で処理し、スイッチカード１３０に転送する。また、スイッチカード１３０から送信する信号が転送されてくると、信号処理を行い送信する。なお、インターフェースカード１２０における信号処理については、後述する。
【００２６】
スイッチカード１３０は、インターフェースカード１２０から信号が転送されてくると、コントロールカード１１０の制御に応じて送信先のインターフェースカード１２０に転送する。
【００２７】
次に実施の形態１における伝送装置１００の機能ブロック図の一例を図４に示す。なお、図４の伝送装置１００の機能ブロック図は、各伝送装置１００が２つの伝送装置１００と接続されているので物理的な通信経路数である２つのインターフェースカード１２０ａ、１２０ｂを有する。
【００２８】
伝送装置１００は、制御部１１５と、記憶部１１６と、受信部１２１ａ、１２１ｂ、判別部１２２ａ、１２２ｂと、フィルタ部１２３ａ、１２３ｂと、送信部１２４ａ、１２４ｂと、送信処理部１２５ａ、１２５ｂと、フィルタ部１２６ａ、１２６ｂと、切替部１３１を備える。
【００２９】
なお、各インターフェース１２０の各機能（受信部１２１ａ、１２１ｂ、判別部１２２ａ、１２２ｂと、フィルタ部１２３ａ、１２３ｂと、送信部１２４ａ、１２４ｂと、送信処理部１２５ａ、１２５ｂと、フィルタ部１２６ａ、１２６ｂ）を区別しない場合、単に数字のみの記載とする（受信部１２１と、判別部１２２と、フィルタ部１２３と、送信部１２４と、送信処理部１２５と、フィルタ部１２６と記載する）。
【００３０】
制御部１１５は、伝送装置１００内の各機能を記憶部１１６の情報と判定部１２２の情報を用いて制御する。例えば、フィルタ部１２３、フィルタ部１２６におけるフィルタリング条件を制御する。
【００３１】
記憶部１１６は、宛て先毎に用いる情報や出力先のポートやオーナー伝送装置１００となるときのブロッキングポートを記憶する。なお、制御部１１５と記憶部１１６は、図３のコントロールカード１１０のＣＰＵ１１１とメモリ１１２に該当する。
【００３２】
受信部１２１は、他の伝送装置１００からの信号を受信し、判別部１２２に転送する。
【００３３】
判別部１２２は、受信した信号に格納されている情報を元に判別し、制御部１１５に判別結果を送る。なお、判別する情報として、例えば、信号のフレームフォーマット内に格納されているＶＬＡＮの情報や制御信号の情報である。
【００３４】
フィルタ部１２３は、判別部１２２から出力された信号を制御部１１５の制御に応じてフィルタリングする。このフィルタ部１２３の機能が上記で説明したようにブロッキングポートの受信側の制御にあたり、判別部１２２で判別した情報に応じて該当する通信経路路からの信号を止める。
【００３５】
送信部１２４は、送信処理部１２５から転送されてきた信号を接続されている他の伝送装置１００に送信する。例えば、インターフェースカード１２０ａが他の伝送装置１００と接続されている場合、送信部１２４ａは、接続されている伝送装置１００に信号を送信する。
【００３６】
送信処理部１２５は、制御部１１５からの制御に応じてフィルタ部１２６からの出力された信号に対して送信するための処理を行う。例えば、フィルタ部１２６から出力された信号にＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）情報の付与を行う。
【００３７】
フィルタ部１２６は、切替部１３１から出力された信号を制御部１１５の制御に応じてフィルタリングする。このフィルタ部１２６の機能が上記で説明したブロッキングポートの送信側の制御となり、判別部１２２で判別した情報に応じて該当する通信路への信号の出力を止める。
【００３８】
切替部１３１は、各インターフェースカード１２０が受信した信号を送信するインターフェースカード１２０に転送する。なお、切替部１３１は、図３のスイッチカード１３０に該当する。
【００３９】
なお、インターフェースカード１２０とスイッチカード１３０は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）／ＦＰＧＡ（Ｆｉｅｌｄ  Ｐｒｏｇｒａｍｍａｂｌｅ  Ｇａｔｅ  Ａｒｒａｙ）等の集積回路やＤＳＰ（Ｄｉｇｉｔａｌ  Ｓｉｇｎａｌ  Ｐｒｏｃｅｓｓｉｎｇ）によって構成される。
【００４０】
また、フィルタ部１２３及びフィルタ部１２６の制御は、信号に付与された情報（例えば、ＶＬＡＮ情報）毎のオーナーの伝送装置１００で行なう。
【００４１】
リングネットワーク２０における各伝送装置１００の制御について説明する。なお、ブロッキングポートの制御として、ＶＬＡＮを用いて説明するがこれに限定するわけではない。また、ブロッキングポート（Ｂ）に対応するＶＬＡＮ情報（第１のＶＬＡＮ情報）が付与された信号に対してのオーナーは、伝送装置１００ａであり、ブロッキングポート（Ｃ）に対応するＶＬＡＮ情報（第２のＶＬＡＮ情報）が付与された信号に対してのオーナーは、伝送装置１００ｃである。
【００４２】
なお、伝送装置１００から他の伝送装置１００に信号を送信する際に、記憶部１１６に通信ルートが記憶されている場合は、記憶部１１６に記憶されている情報を元に送信する。
【００４３】
また、記憶部１１６に通信ルートが記憶されていない場合は、伝送装置１００は、フラッディング方式を用いて信号を送信する。
【００４４】
リングネットワーク２０における伝送装置１００ａから伝送装置１００ｂに信号を送信する場合を用いて詳しく説明する。
【００４５】
伝送装置１００ａから伝送装置１００ｂに信号を送信する際に信号経路が確立されていない場合、第１のＶＬＡＮ情報と第２のＶＬＡＮ情報を付与した信号を通信経路１５ａ、１５ｂを用いて送信する。
【００４６】
第１のＶＬＡＮ情報を付与した信号は、伝送装置１００ｃと伝送装置１００ｄを経由して伝送装置１００ｂで受信される。また、伝送装置１００ａ−伝送装置１００ｂ間においては、ブロッキングポート（Ｂ）により伝送装置１００ａ内のフィルタ部１２６によりフィルタリングされ送信されない。
【００４７】
第２のＶＬＡＮ情報を付与した信号は、他の伝送装置１００を経由することなく伝送装置１００ｂで受信される。また、伝送装置１００ｃと伝送装置１００ｄを経由するルートでは、伝送装置１００ｃから伝送装置１００ｄ間に送信しようとした際に、伝送装置１００ｃのフィルタ部１２６により信号が止められるので伝送装置１００ｄに送信されない。そのため、第２のＶＬＡＮ情報における伝送装置１００ｃと伝送装置１００ｄを経由ルートでは、伝送装置１００ｂで信号を受信することが出来ない。
【００４８】
要するに、第１のＶＬＡＮ情報では、伝送装置１００ｃと伝送装置１００ｄを経由して伝送装置１００ｂで受信され、第２のＶＬＡＮ情報では、他の伝送装置１００を経由することなく伝送装置１００ｂで受信される２つの通信経路となる。
【００４９】
この際に、伝送装置１００ｂの制御部１１５は、受信した２つの信号を用いて伝送装置１００ａ−伝送装置１００ｂの通信経路として一方を選択し、記憶部１１６にポート（インターフェースカード１２０）と送信先情報（今回の場合だと伝送装置１００ａ）とＶＬＡＮ情報を関連付けて記憶する。選択の方法としては、例えば、受信した時間が早いほうや経由した伝送装置１００が少ないほうの通信経路を選択する。なお、経路を確立後、第１のＶＬＡＮ情報及び第２のＶＬＡＮ情報と異なるＶＬＡＮ情報をつけて（または、ＶＬＡＮ情報の付与をせずに）送信するようにし、対応するＶＬＡＮ情報を記憶しなくても良い。
【００５０】
また、途中に信号を中継した各伝送装置１００も同様に記憶部１１６にポート（ポートに対応するインターフェースカード１２０）と送信元情報（今回の場合では伝送装置１００ａ）とＶＬＡＮ情報を関連付けて記憶する。このようにして宛て先とポート（インターフェースカード１２０）とを関連付けて記憶することで通信経路が確立される。また、通信経路を確立した宛て先の信号を送信する場合は、記憶部１１６の情報を用いて送信する。
【００５１】
以降、伝送装置１００は、信号を送信する際に、記憶部１１６を参照し、宛て先に応じてＶＬＡＮ情報を付与した信号を対応するインターフェースカード１２０から送信する。また、送信元の伝送装置１００が付与したＶＬＡＮ情報をリングネットワーク２０内で書き換えを行なわない。要するに、同一のリングネットワーク２０内において信号毎に同一のＶＬＡＮ情報を用いる。
【００５２】
また、図５に記憶部１１６に記憶する宛て先、送信先通信経路（対応するインターフェースカード１２０）、ＶＬＡＮ情報、を関連付けて記憶した記憶テーブルの一例を示す。
【００５３】
なお、図５に示す記憶テーブルは、図２のリングネットワーク２０における伝送装置１００ａが伝送装置１００ｂ、１００ｃ、１００ｄが送信元となる信号を受信し、各伝送装置１００に対しての通信経路を確立している例を示している。
【００５４】
このように、リングネットワーク２０内において第１のＶＬＡＮ情報と第２のＶＬＡＮ情報を用いることで通信帯域を有効に活用することが出来る。
【００５５】
（実施の形態２）
実施の形態１では、信号に付与されている情報を用いて、リングネットワーク２０の通信帯域を有効に活用することを示した。実施の形態２では、複数の通信経路を用いて帯域を有効に活用する方法を示す。
【００５６】
実施の形態２も実施の形態１と同様に図２のリングネットワーク２０を用いて説明する。
【００５７】
伝送装置１００ａから伝送装置１００ｄに信号を送信する例を用いて信号の通信経路を説明する。
【００５８】
第１のＶＬＡＮ情報を付与した信号の伝送装置１００ａから伝送装置１００ｄに通信経路が確立されていない場合、伝送装置１００ａは、第１の信号を送信する際に第１のＶＬＡＮ情報を付与して各通信経路１５ａ、１５ｂに信号を送信する。なお、通信経路１５ｂには、フィルタ部１２６でフィルタリングされるため送信されない。従って、伝送装置１００ｄ及び伝送装置１００ｃに第１のＶＬＡＮ情報に対応する通信ルートが確立される。
【００５９】
また、第２のＶＬＡＮ情報を付与した信号の伝送装置１００ａから伝送装置１００ｄに通信経路が確立されていない場合、伝送装置１００ａは、第２の信号を送信する際に第２のＶＬＡＮ情報を付与して各通信経路１５ａ、１５ｂに信号を送信する。なお、通信経路１５ａを用いた第２のＶＬＡＮ情報が付与された信号は、伝送装置１００ｃのフィルタ部１２６で伝送装置１００ｄ方向の信号がフィルタリングされるので伝送装置１００ｄで受信されない。従って、伝送装置１００ｂ及び伝送装置１００ｄに第２のＶＬＡＮ情報に対応する通信ルートが確立される。なお、ブロッキングポートでブロックするまでに受信した伝送装置１００についても送信元とポートを関連付けて記憶しても良い。このようにすることでリングネットワーク２０全体の経路設定までの時間が短くなる。
【００６０】
なお、それぞれの伝送装置１００から信号を受信すると、伝送装置１００の記憶部１１６に図６に示すように宛て先毎に複数のＶＬＡＮ情報と送信先のインターフェースカード１２０に該当する通信経路を対応付けて記憶する。要するに、各宛て先について複数の通信ルートを確立させる。
【００６１】
そして、以降の信号を送信する際には、所定の条件で信号毎に用いるＶＬＡＮ情報を変更し、付与したＶＬＡＮ情報に応じた送信先通信経路に該当するインターフェースカード１２０から信号を送信する。また、所定の条件とは、例えば、ＶＬＡＮ情報を交互に用いて選択したり、ランダムな関数を用いて選択する。なお、宛て先毎に図６に記載のようにフラグを用いて、宛て先毎に次に用いるＶＬＡＮ情報の記しをつけることでフラグと宛て先からＶＬＡＮ情報と送信先通信経路に該当するインターフェースカード１２０を選択することが出来る。
【００６２】
以上のように、信号の送信毎に用いる通信ルートを変更することで通信帯域を有効に用いることが出来る。また、通信ルートを確立する際にも、信号を複製する数を減らすことが出来る。
【００６３】
（実施の形態３）
実施の形態１、２では、単一のリングネットワーク２０における制御について説明した。実施の形態３では、リングネットワーク間を接続したリングネットワークに適応した例について説明する。
【００６４】
リングネットワーク間を接続したリングネットワークとして、ＩＴＵ−Ｔ  Ｇ．８０３２／Ｙ．１３４４で規格された複数のリングネットワーク（Ｍａｊｏｒ−Ｒｉｎｇ）を新たなリングネットワーク（Ｓｕｂ−Ｒｉｎｇ）で接続されたネットワークを用いて説明する。
【００６５】
図７にリングネットワーク（Ｍａｊｏｒ−Ｒｉｎｇ）間を接続するリングネットワーク（Ｓｕｂ−Ｒｉｎｇ）で構成されるネットワーク３０の構成の一例を示す。ネットワーク３０は、リングネットワーク（Ｍａｊｏｒ−Ｒｉｎｇ）２１ａと、リングネットワーク（Ｍａｊｏｒ−Ｒｉｎｇ）２１ｂと、リングネットワーク２２（Ｓｕｂ−Ｒｉｎｇ）を有する。なお、リングネットワーク２１ａとリングネットワーク２１ｂを区別しない場合、単にリングネットワーク２１と記載する。
【００６６】
リングネットワーク２１ａは、伝送装置２００ａ〜２００ｄを備える。また、リングネットワーク２１ａは、伝送装置２００ａ−伝送装置２００ｂ間を伝送装置１００ａのブロッキングポートにてブロッキングしており、伝送装置２００ａ−伝送装置２００ｂ間の通信を止めている。なお、通信を止める方法としては、例えば、伝送装置２００ａがリングネットワーク２１ａのオーナーとすると、オーナーとなる伝送装置２００ａ内での制御によりブロッキングポート（Ｃ）の設定を行なうことで実現される。
【００６７】
リングネットワーク２１ｂは、例えば、伝送装置２００ｇがリングネットワーク２１ｂのオーナーとすると、オーナーとなる伝送装置２００ｇ内での制御によりブロッキングポート（Ｅ）の設定を行なうことで実現される。
【００６８】
リングネットワーク２２は、伝送装置２００ｃ〜２００ｆを備える。また、リングネットワーク２２として伝送装置２００ｃの制御にて、ブロッキングポート（Ｄ）の提供を、伝送装置２００ｅにつながるポート側に設定している。なお、リングネットワーク２２は、リングネットワーク２１ａとリングネットワーク２１ｂを接続するリングネットワークであり、Ｇ．８０３２で示すところのサブリング（Ｓｕｂ−Ｒｉｎｇ）を提供する。また、伝送装置１００ｃ−伝送装置１００ｄ、伝送装置１００ｅ−伝送装置１００ｆ間の通信経路は、リングの構成要素として仮想的に含める形（Ｍａｊｏｒ−Ｒｉｎｇと同一の回線）になり、これらの通信経路を仮想リンク（ＶＬ：Ｖｉｒｔｕａｌ  Ｌｉｎｋ）と呼ぶ。なお、伝送装置２００ａ〜２００ｈを区別しない場合、単に伝送装置２００と記載する。
【００６９】
ネットワーク３０では、リングネットワーク２２によるブロッキングポート（Ｄ）により装置２００ｃ−伝送装置２００ｅ間において通信を行なっておらず、リングネットワーク２１ａ−リングネットワーク２１ｂ間における通信を伝送装置２００ｄ−伝送装置２００ｆ間のみで行なっている。このようなリングネットワーク２１間を接続するリングネットワーク２２においてブロッキングが原因で通信帯域（伝送装置２００ｃ−伝送装置２００ｅ間）を有効に活用できていない。
【００７０】
また、伝送装置２００ｃ−伝送装置２００ｄ間と伝送装置２００ｅ−伝送装置２００ｆ間は、リングネットワーク２１ａとリングネットワーク２１ｂの通信経路を用いているのでリングネットワーク２２で制御すると、リングネットワーク２１ａとリングネットワーク２１ｂに影響を与えるため制御できない。リングネットワーク２２においては、伝送装置２００ｃ−伝送装置２００ｅ間または、伝送装置２００ｄ−伝送装置２００ｆ間でブロッキングポートに設定する必要がある。
【００７１】
図８に実施の形態３におけるネットワーク４０の構成の一例を示す。なお、図８において、図７のネットワーク３０と同じ構成については、同一の記号を用いる。
【００７２】
ネットワーク４０は、リングネットワーク２１ａとリングネットワーク２１ｂを接続するリングネットワーク２３ａと２３ｂとして信号の情報に応じて異なる制御を行うような構成をしている。なお、リングネットワーク２３ａと２３ｂを区別しない場合単に、リングネットワーク２３と記載する。また、リングネットワーク２３ａとリングネットワーク２３ｂは、同一の回線を用いており信号に付与されている情報に応じてことなる制御が行われる。
【００７３】
リングネットワーク２３ａは、図７のリングネットワーク２２と同様に伝送装置２００ｃでブロッキングポート（Ｄ）を設定し、制御している。リングネットワーク２３ｂは、伝送装置２００ｄでブロッキングポート（Ｄ’）を設定し、制御している。
【００７４】
また、リングネットワーク２３ａとリングネットワーク２３ｂは、例えば、ＶＬＡＮ（Ｖｉｒｔｕａｌ  Ｌｏｃａｌ  Ａｒｅａ  Ｎｅｔｗｏｒｋ）を用いて区別をしている。
【００７５】
このように、リングネットワーク２１ａとリングネットワーク２１ｂを接続するリングネットワーク２３をＶＬＡＮ情報に対応するリング毎（リングネットワーク２１ａ、リングネットワーク２１ｂ毎）に異なるブロッキングポートを用いて信号の輻輳（または、フレームループ）を回避しつつ、帯域を有効に活用することが出来る。
【００７６】
次に実施の形態３における伝送装置２００の機能ブロック図の一例を図９に示す。なお、図９の伝送装置２００の機能ブロック図は、図８におけるリングネットワーク２１とリングネットワーク２３に接続された伝送装置２００ｃ〜伝送装置２００ｆに該当する機能ブロック図を示している。そのため、物理的な通信経路数である３つのインターフェースカード２２０ａ〜２２０ｃを有する。また、他の伝送装置２００においては、必要に応じて、インターフェースカード２２０に該当する機能が増減する。また、インターフェースカード２２０ａとインターフェースカード２２０ｂは、リングネットワーク２１ａ内を接続するもの、要するに、Ｍａｊｏｒ−Ｒｉｎｇ間における通信を行なう伝送装置２００と接続する場合を示しており、図４における伝送装置１００のインターフェースカード１２０ａ、１２０ｂと同等である。一方、インターフェースカード２２０ｃは、リングネットワーク２３内を接続するもの、要するに、Ｓｕｂ−Ｒｉｎｇ間における通信を行なう伝送装置２００と接続する場合を示している。
【００７７】
これは、Ｍａｊｏｒ−Ｒｉｎｇ間かＳｕｂ−Ｒｉｎｇ間で一部処理が異なるので分けている。但し、インターフェースカード２２０ｃを全てのインターフェースカード２２０に用いても良い。
【００７８】
また、インターフェースカード２２０ｃの変わりにインターフェースカード２２０ａを用いて受信した信号毎に判別するようにしても良い。
【００７９】
伝送装置２００は、制御部２１５と、記憶部２１６と、受信部２２１ａ〜２２１ｃと、判別部２２２ａ〜２２２ｃと、フィルタ部２２３ａ、２２３ｂ、２２３ｃ−１、２２３ｃ−２と、送信部２２４ａ〜２２４ｃと、送信処理部２２５ａ〜２２５ｃと、フィルタ部２２６ａ、２２６ｂ、２２６ｃ−１、２２６ｃ−２と、分岐部２２７ｃと、切替部２３１を備える。
【００８０】
なお、各インターフェース２２０の各機能（受信部２２１ａ〜２２１ｃと、判別部２２２ａ〜２２２ｃと、フィルタ部２２３ａ、２２３ｂ、２２３ｃ−１、２２３ｃ−２と、送信部２２４ａ〜２２４ｃと、送信処理部２２５ａ〜２２５ｃと、フィルタ部２２６ａ、２２６ｂ、２２６ｃ−１、２２６ｃ−２、２２７ｃ）を区別しない場合、単に数字のみの記載とする（受信部２２１と、判別部２２２と、フィルタ部２２３と、送信部２２４と、送信処理部２２５と、フィルタ部２２６と、分岐部２２７と記載する）。また、フィルタ部２２６ｃ−１、２２６ｃ−２を区別しない場合、単にフィルタ部１２６ｃと記載する。
【００８１】
また、制御部２１５と、記憶部２１６と、受信部２２１と、判別部２２２と、フィルタ部２２３と、送信部２２４と、送信処理部２２５と、切替部２３１は、図４の制御部１１５と、記憶部１１６と、受信部１２１と、判別部１２２と、フィルタ部１２３と、送信部１２４と、送信処理部１２５と、切替部１３１と同様のため説明は、省略する。
【００８２】
フィルタ部２２６ａ、２２６ｂは、図４のフィルタ部１２６と同様である。フィルタ部２２６ｃは、分岐部２２７ｃから出力された信号を制御部２１５の制御に応じてフィルタリングする。このフィルタ部２２６の機能が上記で説明したブロッキングポートの送信側の制御となり、該当する通信路への信号の出力を止める。
【００８３】
分岐部２２７ｃは、切替部２３１から転送されてきた信号を複製（図６の場合は、２つ）し、複製した信号に異なる情報（例えば、ＶＬＡＮ）を付与して、付与した情報に対応したフィルタ部２２６ｃに転送する。なお、信号に異なる情報（ＶＬＡＮ）を付与する方法として、例えば、一方の信号を送られてきた信号の情報（第１のＶＬＡＮ）にし、他方の信号を送られてきた信号の情報と異なる情報（第２のＶＬＡＮ）に変更する。なお、送られてきた信号の情報（第１のＶＬＡＮ）を用いずに、変更した情報（第３のＶＬＡＮ）を用いても良い。
【００８４】
次に図１０、図１１を用いてリングネットワーク２３を異なる２つのＶＬＡＮを用いて形成する方法について説明する。  
【００８５】
なお、図１０、図１１は、図８のネットワーク４０のリングネットワーク２３ａにおけるオーナーを伝送装置２００ｃとする。また、以降の説明では、リングネットワーク２３を区別するための情報としてＶＬＡＮを用いたとして説明する。
【００８６】
図８は、オーナーの伝送装置２００がリングネットワーク２３ａ内の伝送装置２００にリングネットワーク２３ｂを構成するための制御信号を送信するまでのフローチャートを示す。
【００８７】
ＩＴＵ−Ｔ  Ｇ．８０３２に従って、リングネットワーク２１ａとリングネットワーク２１ｂを接続するリングネットワーク２３ａが構成される。各伝送装置２００は、自伝送装置２００がリングネットワーク２３ａにおけるオーナーの伝送装置２００であるかを確認する（ステップＳ１０）。なお、オーナーとなる伝送装置２００は、所定の条件で予め設定されている。なお、所定の条件での設定とは、一例として、ネットワーク管理者が予め設定する。
【００８８】
自伝送装置２００がオーナーの場合（ステップＳ１０：Ｙｅｓ）、自伝送装置２００に関連する障害情報が有無を調べる（ステップＳ１１）。なお、障害情報の有無は、一例として、接続されている伝送装置２００間において制御信号の受信の有無で調べる。また、自伝送装置２００がオーナーでない場合（ステップＳ１０：Ｎｏ）、処理を終了する。
【００８９】
自伝送装置２００に障害情報が無い場合（ステップＳ１１：Ｙｅｓ）、隣接の伝送装置２００（接続されている伝送装置２００）から制御信号で障害情報無を示すＮＲ情報を受信しているかを調べる（ステップＳ１２）。
【００９０】
また、自伝送装置２００に障害情報がある場合（ステップＳ１１：Ｎｏ）、ステップＳ１４に移る。
【００９１】
ＮＲ情報を受信している場合（ステップＳ１２：Ｙｅｓ）、制御信号にリングネットワーク２３ｂを構成するためのフラグを付与した信号を送信する（ステップＳ１３）。なお、リングネットワーク２３ｂを構成するためのフラグは、オーナー指示フラグ（第１のフラグ）とリングネットワーク１３ｂの実行を示すフラグ（第２のフラグ）がある。なお、実行を示すフラグ（第２のフラグ）の一例として、ＶＬＡＮ  Ａｃｔｉｖｅ  Ｆｌａｇが挙げられる。なお、フラグが格納方法の一例として、信号のフレームフォーマットにおける空き領域を使用する。
【００９２】
また、ＮＲ情報を受信していない場合（ステップＳ１２：Ｎｏ）、要するにリングネットワーク２３ａを構成する他の伝送装置２００に関する障害情報がある場合、ステップＳ１４に移る。
【００９３】
リングネットワーク２３ａを構成する複数の伝送装置２００のうち何れかに障害情報がある場合に復旧を確認し（ステップＳ１４）、復旧していない場合は、復旧するまで待機する（ステップＳ１４：Ｎｏ）。なお、待機の間は、リングネットワーク２３ａを障害が発生している通信経路がブロッキングされるように何れかの伝送装置２００でブロッキングポートを形成したリングネットワークとする。
【００９４】
各伝送装置２００の障害情報がなくなると（ステップＳ１４：ＹＥＳ）、オーナーとして復帰（Ｒｅｖｅｒｔｉｖｅ）し（ステップＳ１５）、ステップＳ１１の処理を行う。なお、オーナーとしての復帰の一例としては、例えば、他の伝送装置２００から障害が無くなった情報を受信して復帰する。なお、他の伝送装置２００から障害が無くなった情報は、障害がないことを示すＮＲ情報を受信することで判断が出来る。
【００９５】
このようにして、オーナーとなる伝送装置２００は、リングネットワーク２３ｂを構成するための制御信号を隣接する伝送装置２００に送信する。
【００９６】
図１１は、フラグ付きの制御信号を受信した際における伝送装置２００の動作を示すフローチャートである。
【００９７】
伝送装置２００は、信号を受信すると、フラグ付きの信号であるか否かを調べる（ステップＳ２０）。なお、図１１のフローチャートにおいてフラグは、図１０で説明した第１のフラグと第２のフラグがあるとする。また、フラグ付きの信号であるかどうかは、判別部２２２で判別する。
【００９８】
フラグ付きの信号を受信している場合（ステップＳ２０：Ｙｅｓ）、第１のフラグを有するかを調べる（ステップＳ２１）。
【００９９】
また、フラグ付きの信号を受信していない場合（ステップＳ２０：Ｎｏ）、リングネットワーク２３ｂの構成に関する制御を行わずに終了する。
【０１００】
第１のフラグを受信している場合（ステップＳ２１：Ｙｅｓ）、どの通信経路から受信したかを調べる。なお、調べ方としては、リングネットワーク２３とリングネットネットワーク２１と同一の回線（ＶＬ：Ｖａｒｔａｌ  Ｌｉｎｋ）から信号を受信したか否かを調べる（ステップＳ２２）。
【０１０１】
また、第１のフラグを受信していない場合（ステップＳ２１：Ｎｏ）、要するに、第２のフラグのみを受信している場合、リングネットワーク２３ｂの設定を行なう（ステップＳ２５）。なお、リングネットワーク２３ｂの設定は、例えば、リングネットワーク２３ａと異なる新たなＶＬＡＮを割り当て提供する。
【０１０２】
リングネットワーク２３とリングネットネットワーク２１と同一の回線（ＶＬ）から信号を受信している場合（ステップＳ２２：Ｙｅｓ）、リングネットワーク２３ｂのオーナーとしての処理を実行する（ステップＳ２３）。オーナーとしての処理は、一例として、ブロッキングポートの設定である。
【０１０３】
また、リングネットネットワーク２１と同一の回線（ＶＬ）から信号を受信していない場合（ステップＳ２２：Ｎｏ）、フラグを除去し、（ステップＳ２４）、終了する。
【０１０４】
なお、オーナー処理の実行（ステップＳ２３）または、リングネットワーク２３ｂの設定（ステップＳ２５）の処理をした場合、受信した通信経路と異なるリングネットワーク２３の経路に送信する信号に第２のフラグの情報を付与して送信する。
【０１０５】
このようにすることで、リングネットワーク２３を構成する全ての伝送装置２００において、新たなＶＬＡＮの設定が可能となることで、複数のＶＬＡＮ情報を用いたリングネットワーク２３の構成が可能となる。これは、例えば、ＶＬＡＮを用いて仮想的な２重構成を示している。
【０１０６】
また、新たなＶＬＡＮの割当としては、例えば、送信側の伝送装置２００で予め第２フラグに格納する方法やステップＳ２３でリングネットワーク２３ｂを接続する際に信号に格納する方法がある。
【０１０７】
ここで、フラグの格納位置等を図１２の信号のフレームフォーマットの一例を用いて説明する。図１２で示す信号のフレームフォーマットは、Ｇ．８０３２ 規定の ＡＰＳ （ａｕｔｏｍａｔｉｃ  ｐｒｏｔｅｃｔｉｏｎ  ｓｗｉｔｃｈｉｎｇ）フォーマットである。
【０１０８】
フラグの格納場所としては、図１２におけるＦｌａｇｓ（０）（ａ）の未使用となる２ビット用いることで実現が可能となる。また、ＮＲ情報は、図１２のＲ−ＡＰＳ  Ｓｐｅｃｉｆｉｃ  Ｉｎｆｏｒｍａｔｉｏｎ（３２  ｏｃｔｅｔｓ）（ｂ）に該当する。
【０１０９】
次にＶＬＡＭ情報毎に形成されるリングネットワーク１３を用いた動作について図１３を用いて説明する。なお、各リングネットワークのオーナーについては、リングネットワーク２１ａが伝送装置２００ａ、リングネットワーク２１ｂが伝送装置２００ｇ、リングネットワーク２３ａが伝送装置２００ｃとする。また、リングネットワーク２３ｂについては、図１１のフローチャートにより伝送装置２００ｄがオーナーとなる。
【０１１０】
図１３は、フラッティング方式を用いて送信する場合を説明する図である。
【０１１１】
図１３（ａ）は、各伝送装置２００がフラッディング方式で送信して伝送装置２００ａから伝送装置２００ｇまたは、伝送装置２００ｈまで信号を送信する場合を示している。要するに、伝送装置２００ａから伝送装置２００ｇまたは、伝送装置２００ｈまでの通信経路が確立されていない場合における各伝送装置２００が送信する信号の向きを示している。
【０１１２】
また、図１３（ａ）における実線は、一方向のみを送信した場合を示し、点線は、複数の方向に送信した場合を示している。
【０１１３】
伝送装置２００ａは、伝送装置２００ｂ方向にブロッキングポート（Ｃ）があるため伝送装置２００ｃにのみ送信する。
【０１１４】
伝送装置２００ｃは、伝送装置２００ａから信号を受信すると、第２のＶＬＡＮ情報を付与した信号を伝送装置２００ｅに送信し、伝送装置２００ｄには、受信した信号を送信する。
【０１１５】
ここで、伝送装置２００ｃの動作について図９を用いて説明する。なお、説明において、図９の機能ブロック図のインターフェースカード２２０ａが伝送装置２００ａと、インターフェースカード２２０ｂが伝送装置２００ｄと、インターフェースカード２２０ｃが伝送装置２００ｅと接続している。
【０１１６】
まず、受信部２２１ａが信号を受信すると、判別部２２２ａで信号を判別する。なお、判別部２２２ａは、例えば、信号の宛て先情報を参照し、通信経路として確立しているかを判別する。フィルタ部２２３ａは、伝送装置２００ａ側にブロッキングポートがないので信号をそのまま切替部２３１に転送する。切替部２３１は、フィルタ部２２６ｂ（インターフェースカード２２０ｂ内）と分岐部２２７ｃ（インターフェースカード２２０ｃ内）に信号を出力する。なお、このとき２つのインターフェースカード２２０に出力するので切替部２３１で信号を複製してそれぞれに転送する。
【０１１７】
フィルタ部２２６ｂは、伝送装置２００ｄ側にブロッキングポートがないので信号をそのまま送信処理部２２５ｂに転送する。送信処理部２２５ｂは、伝送装置２００ｄに送信するための処理（例えば、ＯＡＭ情報の付与）を行い送信部２２４ｂに転送する。送信部２２４ｂは、伝送装置２００ｄに信号を送信する。
【０１１８】
また、分岐部２２７ｃは、切替部２３１から信号が転送されてくると、信号を複製し、異なるＶＬＡＮの情報を付与してフィルタ部２２６ｃ−１、２２６ｃ−２に信号を転送する。
【０１１９】
フィルタ部２２６ｃ−１は、リングネットワーク２３ａに該当しており、リングネットワーク２３ａにおいて伝送装置２００ｅ側にブロッキングポート（Ｄ）を有するので送信処理部２２５ｃに信号を転送しない。一方、フィルタ部２２６ｃ−２は、リングネットワーク２３ｂに該当しており、リングネットワーク２３ｂにおいて伝送装置２００ｅ側にブロッキングポートがないので送信処理部２２５ｃに信号を転送する。送信処理部２２５ｃは、伝送装置２００ｅに送信するための処理（例えば、ＯＡＭ情報の付与）を行い送信部２２４ｃに転送する。送信部２２４ｃは、リングネットワーク２３ｂを介して伝送装置２００ｄに信号を送信する。
【０１２０】
伝送装置２００ｃにおいて上記で説明した処理を行い、受信した受信部２２１に対応するインターフェースカード２２０以外のインターフェースカード２２０の送信部２２４からフラッディングでの送信が可能となる。
【０１２１】
図１３（ａ）に戻り、伝送装置２００ｄは、伝送装置２００ｃから受信した信号を伝送装置２００ｂと伝送装置２００ｆに送信する。
【０１２２】
なお、伝送装置２００ｂから伝送装置２００ａへの信号の送信は、ブロッキングポート（Ｃ）があるため行なわれない。なお、実際には、リングネットワーク２１ａにおいて、ブロッキングポート（Ｃ）の管理をオーナーである伝送装置２００ａが行なっているので、伝送装置２００ｂから伝送装置２００ａに信号が送信され、伝送装置２００ａが信号を受信した際にフィルタ部２２３でブロッキングを行う。
【０１２３】
また、伝送装置２００ｄは、伝送装置２００ｆに送信する際に、伝送装置２００ｃで説明した制御（インターフェースカード２２０ｃにおける制御）を行い、リングネットワーク２３ａを用いて伝送する。要するに、伝送装置２００ｃから伝送装置２００ｅに信号を送信した時と異なるＶＬＡＮ情報（リングネットワーク２３ａに該当する第１のＶＬＡＮ情報）で伝送装置２００ｆに信号を送信する。
【０１２４】
伝送装置２００ｆは、伝送装置２００ｄから信号を受信すると、受信した信号を伝送装置２００ｅと伝送装置２００ｈに送信する。
【０１２５】
なお、伝送装置２００ｈから伝送装置２００ｇへの信号の送信は、ブロッキングポート（Ｅ）があるため行なわれない。
【０１２６】
伝送装置２００ｅは、伝送装置２００ｃから受信した信号を伝送装置２００ｇに送信する。また、伝送装置２００ｆからの信号は受信するが送信を行なわない。
【０１２７】
伝送装置２００ｅの動作について詳しく説明する。なお、伝送装置２００ｅは、図９の機能ブロック図において、インターフェースカード２２０ａが伝送装置２００ｇと、インターフェースカード２２０ｂが伝送装置２００ｆと、インターフェースカード２２０ｃが伝送装置２００ｃにそれぞれ接続されている。
【０１２８】
受信部２２１ｃが伝送装置２００ｃから信号を受信すると、判別部２２２ｃに信号を転送する。判別部２２２ｃは、信号を判別し、その結果を制御部２１５に送る。また、判別部２２２ｃは、信号に付与されているＶＬＡＮの情報に応じてフィルタ部２２３ｃ−１かフィルタ部２２３ｃ−２に信号を転送する。なお、フィルタ部２２３ｃ−１は、リングネットワーク２３ａに対応するＶＬＡＮに該当し、フィルタ部２２３ｃ−２は、リングネットワーク２３ｂに対応するＶＬＡＮに該当する。なお、伝送装置２００ｅは、伝送装置２００ｃから受信した（リングネットワーク２３ｂを通信経路として受信した）信号になるのでフィルタ部２２３ｃ−２に信号を転送する。
【０１２９】
フィルタ部２２３ｃ−２は、ブロッキングポートの制御がないのでＶＬＡＮを変更して切替部２３１に転送する。
【０１３０】
また、制御部２１５は、判別部２２２ｃからの情報（例えば、ＶＬＡＮ情報、ソースアドレス（ｓｏｕｒｃｅ ａｄｄｒｅｓｓ）、ディスティネイションアドレス（ｄｅｓｔｉｎａｔｉｏｎ ａｄｄｒｅｓｓ） ）に応じてフィルタ部２２３ｂとフィルタ部２２６ｂまたは、切替部２３１を制御する。具体的には、受信部２２１ｃで受信した信号のソースアドレスとディスティネイションアドレスを記憶部２１６で記憶し、他のインターフェースから同様の信号（ソースアドレスとディスティネイションアドレスが同一の信号）を受信した場合に転送しないように制御する。
【０１３１】
これは、通常のブロッキングポートの制御に加えて、リングネットワーク２３ｂ（通常と異なるＶＬＡＮの信号を用いるリングネットワーク）を介して受信したときにフィルタ部２２３ｂとフィルタ部２２６ｂもしくは、切替部２３１を制御することで信号の輻輳を防いでいる。
【０１３２】
なお、フィルタ部２２６ｂまたは、切替部２３１の制御においては、どちらか一方でよく、切替部２３１を制御する場合は、インターフェースカード２２０ａにのみに信号を転送するように制御する。
【０１３３】
また、フィルタ部２２６ｂを制御する場合は、該当する信号をフィルタリングし、送信処理部２２５ｂに信号を転送しない。
【０１３４】
このような制御を行い、受信部２２０ｂが伝送装置２００ｆから信号を受信すると、判別部２２２ｂで信号を判別し、制御部２１５からの制御に基づいてフィルタ部２２３ｂで信号をフィルタリングすることで輻輳を防ぐことが出来る。
【０１３５】
以上のようにして伝送装置２００ａから伝送装置２００ｇまたは、伝送装置２００ｈまでフラッディングで信号が送信されると、途中に信号を中継した伝送装置２００と信号を受信した伝送装置２００は、ポート（インターフェースカード２２０）と送信元とＶＬＡＮ情報との関係を記憶部２２６に記憶する。
【０１３６】
同様に、伝送装置２００ｇ及び、伝送装置２００ｈから伝送装置２００ａ宛の信号を受信すると信通信経路が確立され、以降の通信では、図１３（ｂ）や図１３（ｃ）に示す通信経路で信号が送信される。なお、図１３（ｂ）と図１３（ｃ）は、それぞれ、伝送装置２００ａから伝送装置２００ｇと伝送装置２００ａから伝送装置２００ｈへ信号を送信する際に通信ルートが確立している場合を示した図である。図１３（ｂ）と図１３（ｃ）からわかるように伝送装置２００ｇと伝送装置２００ｈに信号を送信する際にリングネットワーク２３において異なった通信経路を用いていることがわかる。
【０１３７】
このように、複数のＶＬＡＮ情報を用いてリングネットワーク２３における通信経路の確立が可能となる。
【０１３８】
なお、リングネットワーク２３を構成する伝送装置２００に関連する障害が発生した場合は、単一のＶＬＡＮ情報に変更し（または、全てのＶＬＡＮ情報を消去し）、更に記憶部２１６に記憶している宛て先と送信先通信経路等の関連情報を消去する。要するに、仮想的な２重接続を解除し、障害箇所をブロッキングポートとしたリングネットワークとして動作する。
【０１３９】
以上のように、実施の形態３では、リングネットワーク２１ａ−リングネットワーク２１ｂ間を接続するリングネットワーク２３を２重構成することで、伝送装置２００間を接続した通信経路を有効に使用することが可能となる。
【０１４０】
（実施の形態３の第１の変形例）
実施の形態３では、リングネットワーク２１ａとリングネットワーク２１ｂを接続するリングネットワーク２３において、各リングネットワーク２１で同数の伝送装置２００を用いた場合について説明した。
【０１４１】
ここでは、リングネットワーク２１で異なった伝送装置２００を用いた場合について説明する。
【０１４２】
実施の形態３の第１の変形例におけるネットワーク５０を図１４に示す。ネットワーク５０は、リングネットワーク２１ａと、リングネットワーク２１ｃと、リングネットワーク２４ａとリングネットワーク２４ｂとを有する。なお、リングネットワーク２４ａとリングネットワーク２４ｂは、ＶＬＡＮ情報で区別されており、仮想的に２重構成されたリングネットワークである。要するに、物理回線を複数のＶＬＡＮを用いたネットワークを示している。また、リングネットワーク２１ａと、リングネットワーク２１ｃを区別しない場合単にリングネットワーク２１と記載する。また、リングネットワーク２４ａとリングネットワーク２４ｂを区別しない場合単にリングネットワーク２４と記載する。なお、ネットワーク４０と同一の構成を有するものは、同一の符号を付与し、説明を省略する。また、伝送装置２００ａ〜２００ｄ、２００ｉ〜２００ｋについて。区別しない場合単に伝送装置２００と記載する。
【０１４３】
リングネットワーク２１ｃは、伝送装置２００ｉ〜２００ｋを備える。なお、伝送装置２００ｊ及び伝送装置２００ｋは、図８の伝送装置２００ｇと伝送装置２００ｈと同様である。また、リングネットワーク２１ｃでは、伝送装置２００ｊ−伝送装置２００ｋ間に対して、伝送装置２００ｊの該当のポートをブロッキングポート（Ｇ）として伝送装置２００ｊ−伝送装置２００ｋ間の通信を止めている。
【０１４４】
リングネットワーク２４は、伝送装置２００ｃ、２００ｄ、２００ｉを備える。リングネットワーク２４においてリングネットワーク２１ａとリングネットワーク２１ｃ間の通信は、伝送装置２００ｃ−伝送装置２００ｉ間と伝送装置２００ｄ−伝送装置２００ｉ間とが考えられる。
【０１４５】
また、リングネットワーク２４ａは、伝送装置２００ｃで、伝送装置２００ｃ−伝送装置２００ｉ間における（第１のＶＬＡＮ情報に対応する）ブロッキングポート（Ｆ）を形成し、伝送装置２００ｃ−伝送装置２００ｉ間の通信を止めている。また、ングネットワーク２４ｂは、伝送装置２００ｄで、伝送装置２００ｄ−伝送装置２００ｉ間における（第２のＶＬＡＮ情報に対応する）ブロッキングポート（Ｆ’）を形成し、伝送装置２００ｄ−伝送装置２００ｉ間の通信を止めている。
【０１４６】
なお、伝送装置２００ｉは、Ｓｕｂ−Ｒｉｎｇ間における通信を行なうインターフェースカード２２０（図９のインターフェースカード２２０ｃ相当）が２つと、Ｍａｊｏｒ−Ｒｉｎｇ間における通信を行なうインターフェースカード２２０（インターフェースカード２２０ａ相当）が２つの計４つのインターフェースカード２２０を有する。
【０１４７】
このようなネットワーク５０においても、実施の形態３で説明したようにＳｕｂ−Ｒｉｎｇを２重構成にすることで、ブロッキングにより用いていなかった帯域を有効に活用することが出来る。
【０１４８】
（実施の形態３の第２の変形例）
実施の形態３では、Ｍａｊｏｒ−Ｒｉｎｇ間を接続するＳｕｂ−ＲｉｎｇにおいてＶＬＡＮ情報毎に異なるブロッキングポイントを用いることで帯域を有効に活用する方法を示した。
【０１４９】
実施の形態３の第２の変形例では、Ｍａｊｏｒ−ＲｉｎｇにもＬＡＮ情報毎に異なるブロッキングポイントを適応にする場合について説明する。
【０１５０】
図１５にリングネットワーク（Ｓｕｂ−Ｒｉｎｇ）間を接続するリングネットワーク（Ｍａｊｏｒ−Ｒｉｎｇ）で構成されるネットワーク６０の構成の一例を示す。ネットワーク６０は、リングネットワーク（Ｍａｊｏｒ−Ｒｉｎｇ）３１と、リングネットワーク３２（Ｓｕｂ−Ｒｉｎｇ）とリングネットワーク３３（Ｓｕｂ−Ｒｉｎｇ）を有する。また、リングネットワーク３２とリングネットワーク３３は、更に他のＭａｊｏｒ−Ｒｉｎｇと接続しているとする。従って、伝送装置３００ａ−３００ｂ間及び伝送装置３００ｇ−３００ｈ間は、他のＭａｊｏｒ−Ｒｉｎｇと同一の回線（ＶＬ：Ｖａｒｔａｌ  Ｌｉｎｋ）となり、他のＭａｊｏｒ−Ｒｉｎｇでブロッキングートとして使用していない場合、ブロッキングポートに用いることが出来ない。
【０１５１】
なお、リングネットワーク３１は、伝送装置３００ｃ−３００ｆ、リングネットワーク３２は、伝送装置３００ａ〜３００ｄ、リングネットワーク３３は、伝送装置３００ｅ〜３００ｈで構成される。  
【０１５２】
また、各リングネットワークのブロッキングポートは、リングネットワーク３１が伝送装置３００ｃ（ブロッキングポート（Ｉ）に対応）、リングネットワーク３２が伝送装置３００ａ（ブロッキングポート（Ｈ）に対応）、リングネットワーク３３が伝送装置３００ｅ（ブロッキングポート（Ｊ）に対応）に備えている。
【０１５３】
なお、伝送装置３００は、実施の形態３で説明した伝送装置２００と同様な構成となり、接続状態によりインターフェースカード２２０が異なる。
【０１５４】
ここで、リングネットワーク３２それぞれに実施の形態３で説明した方法で異なるＶＬＡＮ情報毎にブロッキングポートを適応したネットワーク７０を図１６に示す。ネットワーク７０は、リングネットワーク３１と、リングネットワーク３２ａ、３２ｂとリングネットワーク３３ａ、３３ｂを有する。なお、リングネットワーク３２ａとリングネットワーク３２ｂは、図１５におけるリングネットワーク３２を複数のＶＬＡＮ情報を用いて構成したものであり、区別しない場合は、単にリングネットワーク３２と記載する。また、リングネットワーク３３ａ、３３ｂにおいても同様に区別しない場合は、単にリングネットワーク３３と記載する。また、各リングネットワークのブロッキングポートは、リングネットワーク３２ａが伝送装置３００ａ（ブロッキングポート（Ｈ）に対応）、リングネットワーク３２ｂが伝送装置３００ｂ（ブロッキングポート（Ｈ’）に対応）、リングネットワーク３３ａが伝送装置３００ｅ（ブロッキングポート（Ｊ）に対応）、リングネットワーク３３ｂが伝送装置３００ｆ（ブロッキングポート（Ｊ’）に対応）にそれぞれ備えている。
【０１５５】
以上のように、Ｍａｊｏｒ−Ｒｉｎｇ設置された両方のＳｕｂ−Ｒｉｎｇに実施の形態３で説明した方法で複数のＶＬＡＮを用いＳｕｂ−Ｒｉｎｇ毎にＶＬＡＮ毎のブロッキングポートを用いることで通信帯域を有効に利用することが出来る。
【０１５６】
以上説明したように、本発明において最も好ましい実施の形態等について説明したが、本発明は上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１５７】
１０  リングネットワーク
１５ａ、１５ｂ  通信経路
２０  リングネットワーク
２１ａ、２１ｂ、２１ｃ  リングネットワーク（Ｍａｊｏｒ−Ｒｉｎｇ）
２２  リングネットワーク（Ｓｕｂ−Ｒｉｎｇ）
２３ａ、２３ｂ  リングネットワーク（Ｓｕｂ−Ｒｉｎｇ）
２４ａ、２４ｂ  リングネットワーク（Ｓｕｂ−Ｒｉｎｇ）
３０  ネットワーク
３１  リングネットワーク（Ｍａｊｏｒ−Ｒｉｎｇ）
３２、３２ａ、３２ｂ  リングネットワーク（Ｓｕｂ−Ｒｉｎｇ）
３３、３３ａ、３３ｂ  リングネットワーク（Ｓｕｂ−Ｒｉｎｇ）
４０  ネットワーク
５０  ネットワーク
６０  ネットワーク
７０  ネットワーク
１００、１００ａ〜１００ｄ  伝送装置
１１０  コントロールカード（Ｃｏｎｔｒｏａｌ  Ｃａｒｄ）
１１１  ＣＰＵ
１１２  メモリ
１１５  制御部
１１６  記憶部
１２０ａ〜１２０ｎ  インターフェースカード（Ｉｎｔｅｒｆａｃｅ  ｃａｒｄ）
１２１ａ、１２１ｂ  受信部
１２２ａ、１２２ｂ  判別部
１２３ａ、１２３ｂ  フィルタ部
１２４ａ、１２４ｂ  送信部
１２５ａ、１２５ｂ  送信処理部
１２６ａ、１２６ｂ  フィルタ部
１３０  スイッチカード（Ｓｗｉｔｃｈ  Ｃａｒｄ）
１３１  切替部
２００ａ〜２００ｋ  伝送装置
２１５  制御部
２１６  記憶部
２２０ａ〜２２０ｎ  インターフェースカード（Ｉｎｔｅｒｆａｃｅ  ｃａｒｄ）
２２１ａ〜２２１ｃ  受信部
２２２ａ〜２２２ｃ  判別部
２２３ａ、２２３ｂ、２２３ｃ−１、２２３ｃ−２  フィルタ部
２２４ａ〜２２４ｃ  送信部
２２５ａ〜２２５ｃ  送信処理部
２２６ａ、２２６ｂ、２２６ｃ−１、２２６ｃ−２  フィルタ部
２３０  スイッチカード（Ｓｗｉｔｃｈ  Ｃａｒｄ）
２３１  切替部
３００ａ〜３００ｈ  伝送装置
【図１】
2017195483.tif 000003
【図２】
2017195483.tif 000004
【図３】
2017195483.tif 000005
【図４】
2017195483.tif 000006
【図５】
2017195483.tif 000007
【図６】
2017195483.tif 000008
【図７】
2017195483.tif 000009
【図８】
2017195483.tif 000010
【図９】
2017195483.tif 000011
【図１０】
2017195483.tif 000012
【図１１】
2017195483.tif 000013
【図１２】
2017195483.tif 000014
【図１３】
2017195483.tif 000015
【図１４】
2017195483.tif 000016
【図１５】
2017195483.tif 000017
【図１６】
2017195483.tif 000018